(57)【要約】【課題】上沓との間で生じる捻れによる損傷を防止することができる支承板支承におけるシールリングを提供する。【解決手段】橋梁の上部構造と下部構造との間に設置される支承板支承（密閉ゴム支承板支承または高力黄銅支承板支承）に組み込まれるシールリングであって、弾性材料からなるリング本体１１と、リング本体１１の外周を覆うすべり性を有する筒状の被覆材１２とからなることを特徴とする。被覆材１２はすべり性を有する繊維材料を筒状に編み込んだ繊維布からなる。【選択図】図４
0003218567.tif 000002
【実用新案登録請求の範囲】
【請求項１】
支承板支承に組み込まれるシールリングであって、
弾性材料からなるリング本体と、このリング本体の外周を覆うすべり性を有する筒状の被覆材とからなり、
前記被覆材はフッ素樹脂繊維紡績糸を筒状に編み込んだ繊維布からなることを特徴とする支承板支承におけるシールリング。
【考案の詳細な説明】
【技術分野】
【０００１】
この考案は、支承板支承におけるシールリングに関し、より詳細には、橋梁の上部構造と下部構造との間に設置される支承板支承に組み込まれるシールリングに関する。
【背景技術】
【０００２】
橋梁において上部構造の荷重を下部構造に伝達するための支承の１つとして、荷重伝達機能に加えてすべりによる上部構造の水平移動機能及び鉛直回転機能を持たせた支承板支承が知られている。この支承板支承には、密閉ゴム支承板支承と高力黄銅支承板支承とがある（例えば非特許文献１参照）。
【０００３】
密閉ゴム支承板支承は、下沓に設けたポット部と称される凹部にゴムプレート（弾性体）を挿入したうえ中間プレートを嵌め込んでゴムプレートを密閉し、また中間プレートの上面に凹部を設けて四フッ化エチレン樹脂（ＰＴＦＥ）からなるすべりプレートを嵌め込み、ゴムプレートの弾性変形により鉛直回転機能を持たせ、すべりプレートの上沓とのすべりにより水平移動機能を持たせたものである。
【０００４】
また、高力黄銅支承板支承は、下沓に設けた凹状球面部に下面に凸状球面部が形成された支承板を嵌め合わせ、また支承板の上面に凹部を設けてＰＴＦＥからなるすべりプレートを嵌め込み、球面部どうしのすべりにより鉛直回転機能を持たせ、すべりプレートの上沓とのすべりにより水平移動機能を持たせたものである。
【０００５】
このような支承板支承において、上沓と下沓との間の隙間からすべりプレートや、密閉ゴム支承板支承にあってはポット部、高力黄銅支承板支承にあっては凹状球面部などの支承要部に塵芥や水等が入り込むと、水平移動機能や鉛直回転機能が損なわれることとなる。このため、従来、密閉ゴム支承板支承にあっては中間プレートの外周、高力黄銅支承板支承にあっては支承板の外周に、それぞれクロロプレンゴムからなる筒状のシールリングを配置し、塵芥や水等が支承要部に侵入するのを防止している。
【０００６】
しかしながら、シールリングは上沓と下沓との間にその隙間の密閉性を確保するため、圧縮された状態で設置されるため、上部構造の水平移動に伴い上沓とシールリングとの間で生じる摩擦によりシールリングに捻れ回転が生じ、損傷してしまうという問題がある。
【先行技術文献】
【特許文献】
【０００７】
【非特許文献１】「道路橋支承便覧（改訂版）」，社団法人日本道路協会，平成２０年８月，ｐ．４３−４５
【考案の概要】
【考案が解決しようとする課題】
【０００８】
この考案は上記のような技術的背景に基づいてなされたものであって、次の目的を達成するものである。
この考案の目的は、上沓との間で生じる捻れによる損傷を防止することができる支承板支承におけるシールリングを提供することにある。
【課題を解決するための手段】
【０００９】
この考案は上記課題を達成するために、次のような手段を採用している。
すなわち、この考案は、支承板支承に組み込まれるシールリングであって、
弾性材料からなるリング本体と、このリング本体の外周を覆うすべり性を有する筒状の被覆材とからなり、
前記被覆材はフッ素樹脂繊維紡績糸を筒状に編み込んだ繊維布からなることを特徴とする支承板支承におけるシールリングにある。
【考案の効果】
【００１０】
この考案によれば、シールリングは外周にすべり性を有する被覆材を有しているので、上沓との間ですべりを生じて捻れが生じることがなく、その損傷を防止することができる。
【図面の簡単な説明】
【００１１】
【図１】この考案によるシールリングが組み込まれる支承板支承の例として密閉ゴム支承板支承を示し、橋軸方向に沿ってみた正面図である。
【図２】同支承の同方向に沿ってみた鉛直方向断面図である。
【図３】この考案によるシールリングの実施形態を示す平面図である。
【図４】図３のＡ−Ａ線矢視による拡大断面図である。
【図５】この考案によるシールリングの作り方を示す斜視図である。
【図６】図５に引き続く作り方を示す平面図である。
【考案を実施するための形態】
【００１２】
この考案の実施形態を図面を参照しながら以下に説明する。図１，図２は、この考案のシールリングが組み込まれる支承板支承を示し、図１は橋軸方向に沿ってみた正面図、図２は同方向に沿ってみた鉛直方向断面図である。図示の例で示される支承板支承は、密閉ゴム支承板支承である。
【００１３】
密閉ゴム支承板支承５０は、上沓５１と下沓５２とを備えている。上沓５１は図示の例では、鋼桁として示されている上部構造５３の下面のソールプレート５４にセットボルト５５を介して取り付けられている。上沓５１の上面に設けられたせん断キー５６は、ソールプレート５４に設けられたキー穴に嵌合されて、上部構造５３の水平荷重を上沓５１に伝達するためのものである。
【００１４】
橋脚等の下部構造５７にはアンカーボルト５８を介してベースプレート５９が固定され、このベースプレート５９に下沓５２が溶接等により固定されている。下沓５２の橋軸方向に沿う両側部には、上部構造５３の橋軸直角方向の移動を制限するためのサイドブロック６０が設けられている。このサイドブロック６０は上部に上沓５１の上面に係合して、上部構造５３に作用する上揚力を受け止めるための係合部６０ａが設けられている。
【００１５】
下沓５２は中央部に断面円形のポット部（凹部）６１が設けられ、このポット部６１の底部にはゴムプレート６２が収容されている。さらに、ポット部６１にはゴムプレート６２の上に載った状態で、かつ上部がポット部６１から突出した状態で中間プレート６３が嵌合されている。上部構造５３の荷重は、上沓５１からこの中間プレート６３を介して下沓５２に伝達され、またゴムプレート６２が弾性変形することにより、上部構造５３の鉛直方向回転が可能となっている。
【００１６】
中間プレート６３の上面には凹部が形成され、この凹部に四フッ化エチレン樹脂（ＰＴＦＥ）からなるすべり板６４が嵌め込まれている。一方、中間プレート６３と接する上沓５１の下面には、ステンレスからなるすべりプレート６５が設けられ、これらすべり板６４，６５どうしのすべりにより、上部構造５３が橋軸方向に水平移動可能となっている。
【００１７】
ポット部６１の内部及びすべり板６４の上面は、密閉ゴム支承板支承にそれぞれ鉛直方向回転機能及び水平移動機能を持たせるための要部である。これらの要部に上沓５１と下沓５２との間の隙間から塵芥や水等が侵入するのを防止するために、ポット部６１から突出する中間プレート６３の外周に、シールリング１０が上沓５１により圧縮された状態で配置されている。
【００１８】
図３，図４は、この考案によるシールリング１０の実施形態を示し、図３は平面図、図４は図３のＡ−Ａ線矢視断面図である。シールリング１０は、リング本体１１と被覆材１２とからなる。
【００１９】
リング本体１１は、従来のシールリングと同様のもので、筒状のゴム製リングであり、クロロプレンゴムで作られている。被覆材１２も筒状のもので、その内径はリング本体１１の外径以上であって、リング本体１１の外周全体を覆っている。
【００２０】
この被覆材１２は、すべり性を有する繊維材料を筒状に編み込んだ繊維布からなり、可撓性を有している。すべり性を有する繊維材料として、この実施形態では四フッ化エチレン樹脂（ＰＴＦＥ）等のフッ素樹脂繊維紡績糸が使用されている。具体的には、フッ素樹脂繊維とポリエステルを二重構造で編み込んだ繊維が用いられている。
【００２１】
図５，図６はシールリング１０の作り方を示している。まず、図５に示すように、リング本体１１の素材であるストレート状のゴムチューブ１１ａ及び被覆材１２を準備し、ゴムチューブ１１ａの外周にその一端側から被覆材１２を被せる。被覆材１２は平らな布地のまま、ゴムチューブ１１ａの外周に被せ、縫い付けるようにしてもよい。次いで、図６に示すように、ゴムチューブ１１ａを円形に丸め、その両端部を突き合わせて接着材で接着する。これにより、リング本体１１が構成される。符号１３で示される箇所が接着部である。
【００２２】
なお、この接着の際は、被覆材１２の両端部を蛇腹状に捲（まく）り、ゴムチューブ１１ａの両端部を露出させる。そして、接着後は、被覆材１２の捲り部を戻し、図３に示すようにリング本体１１の全体を被覆材１２で覆うようにする。
【００２３】
上記シールリング１０は、密閉ゴム支承板支承の組立時に、中間プレート６３の外周に配置される。このシールリング１０が組み込まれた密閉ゴム支承板支承は、図１，図２に示したように、橋梁の上部構造５３と下部構造５７との間に設置される。
【００２４】
そして、上部構造５３の水平移動により、上沓５１と中間プレート６３との間ですべりすべりを生じるが、シールリング１０は外周にすべり性を有する被覆材１２を有しているので、中間プレート６３上のすべり板６４と同様に、シールリング１０自体も摺動面となって上沓５１との間ですべりを生じる。したがって、シールリング１０には従来のような回転・捻れが生じることがなく、その損傷を防止することができる。
【００２５】
上記実施形態では、この考案によるシールリングを密閉ゴム支承板支承に組み込んだ例について説明したが、この考案によるシールリングは高力黄銅支承板支承、具体的には支承板の外周に組み込み、上記と同様の機能を発揮させることができる。また、上記実施形態ではリング本体として中空筒状のものが示されているが、リング本体は中実のものであってもよい。
【符号の説明】
【００２６】
１０：シールリング
１１：リング本体
１２：被覆材
１３：接着部
５１：上沓
５２：下沓
６１：ポット部
６２：ゴムプレート
６３：中間プレート
【図１】
0003218567.tif 000003
【図２】
0003218567.tif 000004
【図３】
0003218567.tif 000005
【図４】
0003218567.tif 000006
【図５】
0003218567.tif 000007
【図６】
0003218567.tif 000008